(57)【要約】【課題】表紙供給装置としてチャック方式の給紙装置を採用するとともに、運転中でも搬出する方向に対する表紙の傾きや印刷の傾きを簡単に修正することができるようにすること。【解決手段】回転する円弧状のドラム１ａの側面に枢着されたチャック爪２ａと、そのチャック爪２ａを、該ドラムの円弧状の端縁からドラムの表面上およびその表面から退避する方向に揺動させるカム４ａとからなるチャック機構を左右一対有し、表紙集積棚１２からサッカ１３で取り出した一枚の表紙Ｈ１を前記一対のチャック機構の前記ドラム１ａと前記チャック爪２ａで掴んで引き抜いて搬出する表紙供給装置であって、一対のチャック機構の一方のチャック機構のチャック爪１ａを揺動させるカム４ａの山と谷の境界位置を変更する操作機構８を設け、その操作機構８のハンドル８ｃの操作により一対のチャック機構による掴むタイミングをずらせて表紙の傾きや印刷の傾きを修正する。【選択図】  図２
2011016600.tif 000002
【特許請求の範囲】
【請求項１】
回転する円弧状のドラムと、前記ドラムに枢着されたチャック爪と、前記チャック爪を、前記ドラムの円弧状の端縁からドラムの表面上およびその表面から退避する方向に揺動させるカムとからなるチャック機構を左右一対有し、表紙集積棚から取り出した一枚の表紙を前記一対のチャック機構の前記ドラムと前記チャック爪で掴んで引き抜いて搬出する表紙供給装置であって、前記一対のチャック機構の少なくとも一方のチャック機構のチャック爪を揺動させるカムの操作位置を変更する操作機構を設け、前記操作機構の操作により搬出方向に対する表紙の傾きおよび印刷の傾きを修正してなることを特徴とする表紙供給装置。
【発明の詳細な説明】
【技術分野】
【０００１】
本発明は、本身の背面に貼り付ける表紙を供給する表紙供給装置、詳しくは表紙供給装置から搬出する表紙の傾きを調整する調整手段を備えた表紙供給装置に関する。
【背景技術】
【０００２】
丁合機などによりページ順に集めて作成した冊子（以下、本身という。）をクランパに保持固定して糊付け処理部や表紙貼付け部を移動して製本する製本機は良く知られている。このような製本機の表紙貼付け部には、底板とその底板の上面に一対のニップ板が設けられ、所定の間隔を隔てて開かれた一対のニップ板上に表紙供給装置から供給された表紙を載置する。クランパに保持固定され、背面に糊が塗布された本身が、開かれた一対のニップ板間の底板の上方に位置すると、底板を押し上げ載置された表紙を本身の背面に貼付け、ほぼ同時に一対のニップ板を閉じて表紙を貼り付けた本身の背面側端部（本ののど部）両側から締め付けて表紙の貼付けを完成させる。
【０００３】
このような表紙の貼付けで、背の角をきれいに仕上げるため、また表紙の貼付けを完成させた本の開きを良くするために、供給する表紙の背角部分に筋入れ加工が行われる場合がある。この場合の筋入れ加工は、一般的には表紙供給装置から搬出された表紙を表紙貼付け部に搬送する課程に噛合わせた凹凸ローラを配置し、そのローラ間に表紙を通すことにより行われている。
【先行技術文献】
【特許文献】
【０００４】
【特許文献１】特開２００３−２９１５６２号公報
【発明の概要】
【発明が解決しようとする課題】
【０００５】
ところで、表紙供給装置から搬出された表紙が傾いている場合がある。この場合、表紙が傾いたまま筋入れ加工を施すと、その筋も傾き本の仕上がりが悪くなる。この傾きをできる限り無くす手段として、強いグリップ力を持った左右一対の爪で、積み重ねられた表紙の一枚を掴んで引き抜く、つまりチャック方式の給紙装置を採用することが考えられている。しかし、このような給紙装置は、左右一対の爪が同じタイミングでしか動作できず、機械の劣化により傾きが発生した時や用紙に対して印刷が傾いてしまっている時、その傾きの修正が簡単に行えないといった問題があった。
【０００６】
発明が解決しようとする課題は、表紙供給装置としてチャック方式の給紙装置を採用するとともに、運転中でも搬出する方向に対する表紙の傾きや印刷の傾きを簡単に修正することができるようにする点にある。
【課題を解決するための手段】
【０００７】
上記の課題を解決するために、本発明は、  回転する円弧状のドラムと、前記ドラムに枢着されたチャック爪と、前記チャック爪を、前記ドラムの円弧状の端縁からドラムの表面上およびその表面から退避する方向に揺動させるカムとからなるチャック機構を左右一対有し、表紙集積棚から取り出した一枚の表紙を前記一対のチャック機構の前記ドラムと前記チャック爪で掴んで引き抜いて搬出する表紙供給装置であって、前記一対のチャック機構の少なくとも一方のチャック機構のチャック爪を揺動させるカムの操作位置を変更する操作機構を設け、前記操作機構の操作により搬出方向に対する表紙の傾きおよび印刷の傾きを修正してなることを特徴とする。
【発明の効果】
【０００８】
本発明は、左右一対のチャック機構による表紙を掴むタイミングを操作機構の操作により別々にずらせることができ、このタイミングのずれ、たとえば一方のチャック機構による表紙を掴むタイミングよりも他方のチャック機構による表紙を掴むタイミングを遅らせると、掴むタイミングを遅らせた側の表紙の搬出が遅れ、搬出する表紙は遅れた分搬出方向に対して傾く、つまり、表紙集積棚から取り出した表紙が傾いておれば、これを修正することができ、また、印刷が傾いておればその傾きを修正することができる。また、その修正のための操作は、チャック爪を揺動させるカムの操作位置を変更する操作だけですみ、その操作は簡単であるとともに運転中でも行うことができる。
【図面の簡単な説明】
【０００９】
【図１】本発明の実施例に係る表紙供給装置の構成を示す平面図である。
【図２】図１に示す表紙供給装置のＡ−Ａ断面図である。
【図３】図１に示す表紙供給装置の動作説明図である。
【図４】図１に示す表紙供給装置の動作説明図である。
【図５】図１に示す表紙供給装置の動作説明図である。
【実施例】
【００１０】
本発明の実施例に係る表紙供給装置について、図を参照して説明する。図１および図２において、１ａおよび１ｂは円弧状のドラム、２ａおよび２ｂはチャック爪、３は回転駆動軸、４ａおよび４ｂはカム、５ａおよび５ｂはカム支持具、６ａおよび６ｂはカムフォロア、７ａおよび７ｂはチャック爪駆動アーム、８は操作機構、９は搬出ローラ、１０はガイド板、１１は筋付けローラ、１２は表紙集積棚、１３はサッカ、Ｈは表紙である。
【００１１】
円弧状のドラム１ａおよび１ｂは回転駆動軸３に固定され回転駆動軸３の回転で回転する。チャック爪２ａとチャック爪駆動アーム７ａは円弧状のドラム１ａの側面に枢着（回転自在）され、チャック爪２ｂとチャック爪駆動アーム７ｂは円弧状のドラム１ｂの側面に枢着（回転自在）されている。カム４ａは円弧状のドラム１ａと同心に配置され、カム支持具５ａを介して操作機構８に連結されている。カム４ｂは円弧状のドラム１ｂと同心に配置され、カム支持具５ｂを介してこの図示例では機台に固定されている。
【００１２】
操作機構８は偏芯リング８ａと偏芯リング８ａを嵌合する孔を空けた操作板８ｂおよび偏芯リング８ａを回転する操作ハンドル８ｃとにより構成され、操作ハンドル８ｃを回動することにより、その回動分、偏芯リング８ａが回動し、操作板８ｂがほぼ左右方向に移動し、この移動はカム支持具５ａを介してカム４ａに伝達され、カム４ａは時計方向または反時計方向に回動する。
【００１３】
チャック爪駆動アーム７ａには、一端にカムフォロア６ａが取り付けられ、他端に歯列が刻まれており、その歯列はチャック爪２ａに取付けたギアと噛合している。円弧状のドラム１ａの回転でカムフォロア６ａがカム４ａの谷部から山部に当接する（チャック爪の操作位置）とチャック爪駆動アーム７ａは枢着点を支点として回動し、その回動に伴ってギアを介してチャック爪２ａは枢着点を支点として回動する。
【００１４】
カムフォロア６ａがカム４ａの谷部に当接しているときは、チャック爪２ａはドラム１ａの円弧状の端縁からドラムの表面上に位置してその表面を押圧する。また、カムフォロア６ａがカム４ａの山部に当接しているときは、チャック爪２ａはドラム１ａの表面上から退避する。つまり、円弧状のドラム１ａの回転に伴い、カムフォロア６ａがカムの山部から谷部に、また、谷部から山部に当接位置が変化し、山部から谷部への変化によりドラム１ａの表面とチャック爪２ａとで表紙を掴むこととなる。
【００１５】
同様に、チャック爪駆動アーム７ｂには、一端にカムフォロア６ｂが取り付けられ、他端に歯列が刻まれており、その歯列はチャック爪２ｂに取付けたギアと噛合している。カムフォロア６ｂがカム４ｂの谷部から山部に当接するとチャック爪駆動アーム７ｂは枢着点を支点として回動し、その回動に伴ってチャック爪２ｂは枢着点を支点として回動する。カムフォロア６ｂがカム４ｂの谷部に当接しているときは、チャック爪２ｂはドラム１ｂの円弧状の端縁からドラムの表面上に位置してその表面を押圧する。また、カムフォロア６ｂがカム４ｂの山部に当接しているときは、チャック爪２ｂはドラム１ｂの表面上から退避する。つまり、円弧状のドラム１ｂの回転に伴い、カムフォロア６ｂがカム４ｂの山部から谷部に、また、谷部から山部に当接位置が変化し、山部から谷部への変化によりドラム１ｂの表面とチャック爪２ｂとで表紙を掴むこととなる。
【００１６】
なお、回転する円弧状のドラムと、このドラムに枢着されたチャック爪と、このチャック爪を、ドラムの円弧状の端縁からドラムの表面上およびその表面から退避する方向に揺動させるカムとからなる機構をチャック機構といい、このチャック機構を左右一対として配置し、それぞれのチャック機構で表紙の両側を掴んで引き出す。
【００１７】
通常、カムフォロア６ａおよび６ｂが、カム４ａおよび４ｂの谷部から山部に当接するタイミングは同じとされ、図３に示す（片側のチャック機構は図示省略）ように表紙集積棚１２からサッカ１３により取出された一枚の表紙Ｈ１をチャック爪２ａおよび２ｂで同時に掴んで図２に示す（片側のチャック機構は図示省略）ように円弧状のドラム１ａおよび１ｂの回転で引き出す。この引き出しによって、取出した表紙Ｈ１の姿勢を維持したまま引き出される。引き出された表紙Ｈ１は、搬出ローラ９によりガイド板１０上に載せられて、筋付けローラ１１に送られる。表紙Ｈ１の先端部がガイド板１０上に載せられると、カムフォロア６ａおよび６ｂが、図４に示すようにカム４ａおよび４ｂの山部から谷部に当接し、チャック爪２ａおよび２ｂはドラム１ａおよび１ｂの表面上から退避する。この動作は表紙集積棚１２からサッカ１３により取出されるごとに繰り返される。
【００１８】
ところで、表紙集積棚１２からサッカ１３により取出された一枚の表紙Ｈ１が搬出方向に対して傾いている場合、あるいは印刷が傾いている場合があり、この場合には、操作ハンドル８ｃをたとえば時計方向に回動する。この回動によりカム４ａが反時計方向に回動し、カム４ａの谷部および山部の境界位置が変更し、カムフォロア６ａの谷部から山部に当接するタイミングが遅れ、図５に示すようにチャック爪２ａにより表紙Ｈ１を掴むタイミングがチャック爪２ｂにより掴むタイミングより遅れる。この遅れによりチャック爪２ａにより掴んだ側の表紙Ｈ１の進みが遅くなり、チャック爪２ｂにより掴んだ側が先に進み、これにより表紙Ｈ１の傾きや印刷の傾きを修正することができる。
【００１９】
なお、実施例では、片側のチャック機構のカムの山部と谷部の境界位置を変更できるようにしているが、両側のチャック機構とも、カムの山部と谷部の境界位置を別々に変更できるようにしてもよい。
【符号の説明】
【００２０】
１ａ、１ｂ  ドラム
２ａ、２ｂ  チャック爪
３  回転駆動軸
４ａ、４ｂ  カム
５ａ、５ｂ  カム支持具
６ａ、６ｂ  カムフォロア
７ａ、７ｂ  チャック爪駆動アーム
８  操作機構
９  搬出ローラ
１０  ガイド板
１１  筋付けローラ
１２  表紙集積棚
１３  サッカ
Ｈ、Ｈ１  表紙
【図１】
2011016600.tif 000003
【図２】
2011016600.tif 000004
【図３】
2011016600.tif 000005
【図４】
2011016600.tif 000006
【図５】
2011016600.tif 000007